(57)【要約】【課題】本発明は、簡略な構成で作業効率の良いトラス筋付き床パネルを用いたトラス筋付デッキ床の段差構造を提供する。【解決手段】高低差を設けた上で水平に隣り合わせた第１の床パネル３及び第２の床パネル８は、端辺３ｃ、８ｃどうしを鉛直で同軸となるように配置すると、第１のトラス筋４及び第２のトラス筋９が、平面視であき重ね継ぎ手を形成する。これらの間には、第１のトラス筋４及び第２のトラス筋９の重なり長さを部材長、第１のトラス筋４の高低差を高さとするロの字状の補強筋１６が配され、また、第１のトラス筋４及び第２のトラス筋９の端部には、第１の上端筋５及び第１の下端筋６を連結する部材長を有する縦部材１４ａを備える連結筋が配される。このような段差部１５には、隣り合う第２のトラス筋９を連結するように副鉄筋１７が離間配置された上で、コンクリート１８が打設される。【選択図】  図１
2004169468.tif 000002
【特許請求の範囲】
【請求項１】
水平に延在する上端筋及び下端筋と、両者を連結するラチス筋とにより構成される第１のトラス筋が、主筋として上面に一体的に設置された第１の床パネルと、
水平に延在する上端筋及び下端筋と、両者を連結するラチス筋とにより構成される第２のトラス筋が、少なくとも一方の端部を突出させた状態で、主筋として上面に一体的に設置された第２の床パネルを備えるトラス筋付デッキ床の段差構造であって、
該第２の床パネルが第１の床パネルより上方となるように、高低差を設けて両者を水平に隣り合わせるとともに、前記第２の床パネルより突出する第２のトラス筋の端部と、第１のトラス筋の端部とで継ぎ手を形成させ、該継ぎ手をコンクリートで埋設することにより構成されており、
前記継ぎ手には、前記第２のトラス筋と第１のトラス筋の端部どうしが、平面視で差し違え配列となるように配されたあき重ね継ぎ手が形成されるとともに、前記継ぎ手の間には、あき重ね継ぎ手の重ね長さと同様の長さ、及び前記第２のトラス筋の上端筋と第１のトラス筋の下端筋との間の高低差と同様の高さを有するロの字形の鉄筋が、第１のトラス筋及び第２のトラス筋の両者に面を平行にして配され、
また、前記継ぎ手を形成する第１のトラス筋及び第２のトラス筋各々の端部には、各々の上端筋と下端筋を連結するように位置する縦部材を備える連結筋が配されることを特徴とするトラス筋付デッキ床の段差構造。
【請求項２】
請求項１に記載のトラス筋付デッキ床の段差構造であって、前記連結筋が、前記縦部材の両端部各々に、少なくとも平面視で差し違え配列を形成する第１のトラス筋及び第２のトラス筋の重なり長さより長い部材長よりなる対をなす横部材を、一体的に設けられたコの字形に成形され、
対をなす該横部材が、前記第１のトラス筋及び第２のトラス筋各々の上端筋及び下端筋に沿うように配置されることを特徴とするトラス筋付デッキ床の段差構造。
【請求項３】
請求項１に記載のトラス筋付デッキ床の段差構造であって、前記連結筋が、前記縦部材と、少なくとも平面視で差し違え配列を形成する第１のトラス筋及び第２のトラス筋の重なり長さより長い部材長よりなる対をなす横部材を、螺旋状に連結することにより成形され、
対をなす横部材が、第１のトラス筋の上端筋と第２のトラス筋の上端筋、もしくは第１のトラス筋の下端筋と第２のトラス筋の下端筋に沿わせて配置できる形状に成形されることを特徴とするトラス筋付デッキ床の段差構造。
【請求項４】
請求項１に記載のトラス筋付デッキ床の段差構造であって、前記第１のトラス筋及び第２のトラス筋各々に、上端筋と下端筋が連続したコの字型鉄筋が用いられており、第１のトラス筋及び第２のトラス筋各々の端部には、前記連結筋に代わり、該コの字型鉄筋の鉛直部が位置することを特徴とするトラス筋付デッキ床の段差構造。
【請求項５】
請求項１に記載のトラス筋付デッキ床の段差構造であって、前記連結筋が、第１のトラス筋及び第２のトラス筋各々の端部で同一平面上に配され、各々の上端筋と下端筋が連結筋を介して連続するように接合手段を介して接合されることを特徴とするトラス筋付デッキ床の段差構造。
【発明の詳細な説明】
【０００１】
【発明の属する技術分野】
本発明は、トラス筋が主筋として上面に配される床パネルを用いたトラス筋付デッキ床の段差構造に関する。
【０００２】
【従来の技術】
従来より、トラス筋付き床パネルを用いた床スラブは、あらかじめ床パネルにトラス筋が設けられているため、配筋に乱れが生じないとともにコンクリートのかぶりが的確で高品質な床を簡略に形成できる構成として知られている。これらは、作業効率が良いとともに経済的であるため、一般に広く用いられており、例えば、特許文献１に示すように、２体のトラス筋付き床パネルを用いて、異なる床高を有して相反する方向に各々連続するように配置し、両者の間に段差部を設けることにより一体化した段差床スラブが形成されている。
【０００３】
【特許文献１】
特開平１１−３０３２８４号公報（第２図を参照）
【０００４】
【発明が解決しようとする課題】
しかし、図９に示すように、トラス筋２０を上面に備えたトラス筋付き床パネル２１を水平に隣り合わせ、所望の高低差を設けて段差付き床スラブ１９を構築する際には、隣り合うトラス筋付き床パネル２１の段差部の配筋が、従来のトラス筋２０を持たない床パネルを用いて段差部を構築する場合と同様の構成になるとともに、コンクリート２２の打設時には、型枠２３を配置する必要があるため、作業が煩雑なものとなっていた。
【０００５】
上記事情に鑑み、本発明は、簡略な構成で作業効率の良いトラス筋付き床パネルを用いたトラス筋付デッキ床の段差構造を提供することを目的としている。
【０００６】
【課題を解決するための手段】
請求項１記載のトラス筋付デッキ床の段差構造は、水平に延在する上端筋及び下端筋と、両者を連結するラチス筋とにより構成される第１のトラス筋が、主筋として上面に一体的に設置された第１の床パネルと、水平に延在する上端筋及び下端筋と、両者を連結するラチス筋とにより構成される第２のトラス筋が、少なくとも一方の端部を突出させた状態で、主筋として上面に一体的に設置された第２の床パネルとを備えるトラス筋付デッキ床の段差構造であって、該第２の床パネルが第１の床パネルより上方となるように、高低差を設けて両者を水平に隣り合わせるとともに、前記第２の床パネルより突出する第２のトラス筋の端部と、第１のトラス筋の端部とで継ぎ手を形成させ、該継ぎ手をコンクリートで埋設することにより構成されており、前記継ぎ手には、前記第２のトラス筋と第１のトラス筋の端部どうしが、平面視で差し違え配列となるように配されたあき重ね継ぎ手が形成されるとともに、前記継ぎ手の間には、あき重ね継ぎ手の重ね長さと同様の長さ、及び前記第２のトラス筋の上端筋と第１のトラス筋の下端筋との間の高低差と同様の高さを有するロの字形の鉄筋が、第１のトラス筋及び第２のトラス筋の両者に面を平行にして配され、また、前記継ぎ手を形成する第１のトラス筋及び第２のトラス筋各々の端部には、各々の上端筋と下端筋を連結するように位置する縦部材を備える連結筋が配されることを特徴としている。
【０００７】
請求項２記載のトラス筋付デッキ床の段差構造は、前記連結筋が、前記縦部材の両端部各々に、少なくとも平面視で差し違え配列を形成する第１のトラス筋及び第２のトラス筋の重なり長さより長い部材長よりなる対をなす横部材を、一体的に設けられたコの字形に成形され、対をなす該横部材が、前記第１のトラス筋及び第２のトラス筋各々の上端筋及び下端筋に沿うように配置されることを特徴としている。
【０００８】
請求項３記載のトラス筋付デッキ床の段差構造は、前記連結筋が、前記縦部材と、少なくとも平面視で差し違え配列を形成する第１のトラス筋及び第２のトラス筋の重なり長さより長い部材長よりなる対をなす横部材を、螺旋状に連結することにより成形され、対をなす横部材が、第１のトラス筋の上端筋と第２ののトラス筋の上端筋、もしくは第１のトラス筋の下端筋と第２のトラス筋の下端筋に沿わせて配置できる形状に成形されることを特徴としている。
【０００９】
請求項４に記載のトラス筋付デッキ床の段差構造は、前記第１のトラス筋及び第２のトラス筋各々に、上端筋と下端筋が連続したコの字型鉄筋が用いられており、第１のトラス筋及び第２のトラス筋各々の端部には、前記連結筋に代わり、該コの字型鉄筋の鉛直部が位置することを特徴とするトラス筋付デッキ床の段差構造。
【００１０】
請求項５記載のトラス筋付デッキ床の段差構造は、前記連結筋が、第１のトラス筋及び第２のトラス筋各々の端部で同一平面上に配され、各々の上端筋と下端筋が連結筋を介して連続するように接合手段を介して接合されることを特徴とするトラス筋付デッキ床の段差構造。
【００１１】
【発明の実施の形態】
本発明のトラス筋付デッキ床の段差構造を図１〜図８に示す。本発明のトラス筋付デッキ床の段差構造は、トラス筋を備えた床パネルを用いたトラス筋付デッキ床の段差構造において、高低差を設けて水平に隣り合う床パネルの中で、上方に配される側のトラス筋を床パネルより突出させておき、隣り合う床パネルの段差部に、トラス筋による継ぎ手を形成させるとともに、該継ぎ手部に補強筋を配することにより、段差部の配筋を簡略化させるものである。
【００１２】
（第１の実施の形態）
図１（ａ）の平面図に示すように、トラス筋付デッキ床１は、第１の床スラブ２と、第２の床スラブ７とにより構成されている。
前記第１の床スラブ２は、図１（ｂ）の側断面図に示すように、一般に用いられているコンクリートのプレキャスト板、もしくはデッキプレートよりなる第１の床パネル３と、その上面に所定の離間間隔を持って平行に複数配され、主筋として機能する第１のトラス筋４とを備えている。該第１のトラス筋４は、鉛直方向に同軸となるように、所定の離間距離を持って水平に配された第１の上端筋５及び第１の下端筋６と、両者を連結するように配されるラチス筋１２とにより構成されている。
これら、平行に隣り合うように配される複数の第１のトラス筋４は、図１（ｃ）の横断面図に示すように、該第１のトラス筋４と直交する方向に配される支持鉄筋１３に支持され、該支持鉄筋１３を介して第１の床パネル３の上面に一体的に固着されている。なお、該支持鉄筋１３は、図１（ａ）に示すように、所定の離間間隔を持って第１のトラス筋４の長さ方向に複数配置されている。また、該支持鉄筋１３は、本実施の形態において、第１のトラス筋４を支持する部位が山状に成形されているが、前記第１のトラス筋４を支持できる形状であれば、その形状は必ずしもこれにこだわるものではない。
【００１３】
このような構成の第１の床パネル３には、前記第１のトラス筋４と直交する方向に延在する副鉄筋１７が、平行に隣り合う複数の第１のトラス筋４を連結するように、所定の離間間隔を持ってその上面に複数配された上で、これらを埋設するようにコンクリート１８が打設されて第１の床スラブ２が構築されることとなる。
【００１４】
一方、図１（ｂ）に示すように、第１の床スラブ２に対して水平に隣り合うとともに、所定の高低差を持って上方に配された第２の床スラブ７も、第１の床スラブ２と同様に、コンクリートのプレキャスト板、もしくはデッキプレートよりなる第２の床パネル８と、該第２の床パネル８の上面に前記支持鉄筋１３を介して一体的に固定され、第２の上端筋１０、第２の下端筋１１及びラチス筋１２により構成される第２のトラス筋９とを備えている。図１（ａ）に示すように、第２の床パネル８には、第２のトラス筋９の上面に直交する方向に延在する副鉄筋１７が、平行に隣り合う複数の第２のトラス筋９を連結するように配された上で、図１（ｂ）に示すように、コンクリート１８が打設されることにより、第２の床スラブ７が構築される。
なお、該第２のトラス筋９は、図１（ｂ）に示すように、第１の床パネル３と隣り合う側の端部を、第２の床パネル８より所定長だけ外方へ突出するように配されている。
【００１５】
上述する構成の第２の床スラブ７は、図１（ａ）に示すように、第２の床パネル８の上面に、複数の第２のトラス筋９が一定の離間間隔を持って配置されているが、第２の床パネル８の向かい合う一方の側辺８ａとこれに隣接する第２のトラス筋９ａとの配置距離Ｌ１と、向かい合う他方の側辺８ｂとこれに隣接する第２のトラス筋９ｂとの配置距離Ｌ２が異なるように位置決めされている。
一方、第１の床スラブ２も同様で、図１（ａ）に示すように、第１の床パネル３の向かい合う一方の側辺３ａとこれに隣接する第１のトラス筋４ａとの距離を配置距離Ｌ２とし、向かい合う他方の側辺３ｂとこれに隣接する第１のトラス筋４ｂとの距離を配置距離Ｌ１として位置決めしている。
【００１６】
つまり、第１の床パネル３と第２の床パネル８とは、いずれかの左右を反転させることにより、第１のトラス筋４と第２のトラス筋９とが水平方向で同軸になるものの、通常時は平行に隣り合わせて配置すると、第１のトラス筋４と第２のトラス筋９とが差し違いに配列されることとなる。
これにより、高低差を設けた上で水平に隣り合わせた第１の床パネル３及び第２の床パネル８は、図１（ｂ）に示すように、隣り合う端辺３ｃ、８ｃどうしを鉛直軸方向に同軸となるように配置すると、前記第１のトラス筋４及び第２のトラス筋９が、高低差を有しているものの、平面視で見ると図１（ａ）に示すように、あき重ね継ぎ手を形成するように配置されることとなり、このあき重ね継ぎ手が形成された部位が、第１の床スラブ２と第２の床スラブ７との段差部１５となる。
【００１７】
該段差部１５の構造は、前記第１のトラス筋４及び第２のトラス筋９の端部により構成されるあき重ね継ぎ手に加えて、図２に示すように、これらあき重ね継ぎ手の間に挟まれるように位置し、第１のトラス筋４及び第２のトラス筋９の各々と面を平行にした補強筋１６が配されている。該補強筋１６は、図１（ｂ）に示すように、あき重ね継ぎ手の重なり長さを部材長とし、第１のトラス筋４の第１の上端筋５及び第２のトラス筋９の第２の下端筋１１の高低差を高さとするロの字状に成形された鉄筋である。
このような補強筋１６は、図２に示すような段差部１５の分解斜視図で見ると、補強筋１６の一方の面の下方に第１のトラス筋４、他方の面の上方に第２のトラス筋９が面どうしで向かい合わさるように配置され、補強筋１６は見かけ上、上下に位置する第１のトラス筋４及び第２のトラス筋９を連結するように配されるものである。
【００１８】
また、前記段差部１５のあき重ね継ぎ手を構成する第１のトラス筋４及び第２のトラス筋９の端部には、連結筋１４が配されている。該連結筋１４は、図２に示すように、前記第１のトラス筋４の第１の上端筋５及び第１の下端筋６を連結する部材長を有し、これらの末端部に配される縦部材１４ａと、その両端部を９０°に折り曲げて第１の上端筋５及び第１の下端筋６各々の側面に沿うように接合される対をなす横部材１４ｂとにより構成されている。このような連結筋１４は、第２のトラス筋９にも設けられており、第２の上端筋１０及び第２の下端筋１１の末端部にも接合手段を介して接合されている。
【００１９】
上述する段差部１５には、前記第２のトラス筋９に直交する方向に配される複数の副鉄筋１７が、隣り合う第２のトラス筋９を連結するように離間配置された上で、第１の床パネル３及び第２の床パネル８とともにコンクリート１８が打設されて、第１の床スラブ２、第２の床スラブ７よりなるトラス筋付デッキ床１が構成されることとなる。
【００２０】
なお、前記トラス筋付デッキ床１の段差部１５に配され、第１のトラス筋４及び第２のトラス筋９の端部近傍の側面に沿うように接合される連結筋１４は、上述する形状にこだわるものではない。以下、第２の実施の形態、第３の実施の形態に、他の事例を示す。
また、該連結筋１４は、前記第１のトラス筋４及び第２のトラス筋９の端部を補強できる構成であればいずれを用いても良い。したがって、その接合位置も、必ずしも第１のトラス筋４及び第２のトラス筋９の側面に沿うように接合する必要はないことから、第４の実施の形態では、連結筋１４の接合位置の他の事例を示す。
【００２１】
（第２の実施の形態）
第２の実施の形態に示すトラス筋付デッキ床１は、図３に示すように、第１の実施の形態と同様の第１の床スラブ２、第２の床スラブ７が用いられている。これらを、高低差を設けて水平に隣り合わせて配置することにより形成される段差部１５には、第１の実施の形態で示したように、第１のトラス筋４及び第２のトラス筋９の隣り合う端部同士により、平面視であき重ね継ぎ手が形成されているとともに、複数の前記補強筋１６が配されている。
【００２２】
ところで、図４の段差部１５の分解斜視図に示すように、前記段差部１５のあき重ね継ぎ手を形成する第１のトラス筋４及び第２のトラス筋９の端部に設けられる前記連結筋１４は、第１の実施の形態と同様に、前記第１のトラス筋４の第１の上端筋５及び第１の下端筋６を連結する部材長を有する縦部材１４ａと、その両端部に直交するよう配される対をなす横部材１４ｂとにより構成され、コの字を形成するように一体的に固着されている。
対をなす該横部材１４ｂは、図３に示すように、少なくともあき重ね継ぎ手の重なり長さよりも長く形成されており、第１のトラス筋４に接合手段を介して接合される際には、前記縦部材１４ａが第１の上端筋５及び第１の下端筋６の末端部を連結するとともに、対をなす横部材１４ｂが第１の上端筋５及び第１の下端筋６の各々に沿うように配されて、段差部１５と前記第１の床パネル３の両者をまたぐように配されることとなる。
同様にして、第２のトラス筋９に取り付けられた際にも、縦部材１４ａが第２の上端筋１０及び第２の下端筋１１の末端部を連結するとともに、対をなす横部材１４ｂが第２の上端筋１０及び第２の下端筋１１の各々に沿うように配されて、対をなす横部材１４ｂが、段差部１５と前記第２の床パネル８の両者をまたぐように配されることとなる。
【００２３】
（第３の実施の形態）
第３の実施の形態に示すトラス筋付デッキ床１にも、図５に示すように、第１の実施の形態及び第２の実施の形態と同様の第１の床スラブ２、第２の床スラブ７が用いられている。これらを高低差を設けて水平に隣り合わせて配置することにより形成される段差部１５には、第１の実施の形態及び第２の実施の形態で示したように、第１のトラス筋４及び第２のトラス筋９の隣り合う端部同士により、差し違え配列が形成されているとともに、複数の前記補強筋１６が配されている。
【００２４】
ところで、段差部１５のあき重ね継ぎ手を形成する第１のトラス筋４及び第２のトラス筋９の端部に設けられる前記連結筋１４は、図６の段差部１５の分解斜視図に示すように、対をなす横部材１４ｂと、縦部材１４ａとを、見かけ上螺旋状に一体化した形状を有している。第１のトラス筋４に接合する連結筋１４を具体的に詳述すると、第２の床パネル８上から段差部１５に向かって第２の下端筋１１に沿って延在する対をなす一方の横部材１４ｂが、末端部まで伸びた後に９０°折れ曲がった上で上昇し、縦部材１４ａとなって前記第２の上端筋１０の末端部に達する。さらに、９０°折れ曲がった上で水平となり第１の上端筋１０に沿って、第１の下端筋６の末端部と鉛直軸方向で同軸の位置に達するまで延在する。この後、再度９０°折れ曲がって下降し、第１の下端筋６に達した時点で９０°折れ曲がって水平となり、第１の下端筋６に沿う対をなす他方の横部材１４ｂとなる。この対をなす他方の横部材１４ｂは、段差部１５から第１の床パネル３に伸び、接合手段を介して第１の下端筋６に固着される。
このような連結筋１４は、鉛直平面上で１８０°回転することにより、対をなす一方の前記横部材１４ｂを第１の上端筋５、他方の前記横部材１４ｂを第２の上端筋１０に沿うように配するとともに、前記縦部材１４ａを第１の上下端筋５と第１の下端筋６の末端部を連結するように配することも可能である。これら１８０°回転した連結筋１４を第２のトラス筋９に配し、他方の横部材１４ｂを第２の上端筋１０に接合手段を介して接合するものである。
【００２５】
（第４の実施の形態）
第４の実施の形態に示すトラス筋付デッキ床１にも、図７（ａ）に示すように、第１の実施の形態及び第２の実施の形態と同様の第１の床スラブ２、第２の床スラブ７が用いられている。これらを高低差を設けて水平に隣り合わせて配置することにより形成される段差部１５には、第１の実施の形態及び第２の実施の形態で示したように、第１のトラス筋４及び第２のトラス筋９の隣り合う端部同士により、差し違え配列が形成されているとともに、複数の前記補強筋１６が配されている。
【００２６】
ところで、段差部１５のあき重ね継ぎ手を形成する第１のトラス筋４及び第２のトラス筋９の端部に設けられる前記連結筋１４は、図８の段差部１５の分解斜視図に示すように、第１の実施の形態と同様な形状の対をなす横部材１４ｂと、縦部材１４ａから構成されている。該連結筋１４は、図７（ｂ）に示すように、第１のトラス筋４と同一平面上に配されており、対をなす横部材１４ｂ各々が、前記第１のトラス筋４の第１の上端筋５及び第１の下端筋６各々と同軸となるように端面どうしを向かい合わせた状態で接合手段を介して接合されて、第１の上端筋５と第１の下端筋６が連結筋１４を介して連続する構成となっている。このような連結筋１４は、第２のトラス筋９にも設けられており、第２のトラス筋９と同一平面上に配された上で、第２の上端筋１０及び第２の下端筋１１の端面に対をなす横部材１４ｂの端面が接合手段を介して接合されている。
なお、連結筋１４は、少なくとも縦部材１４ａを備えていれば必ずしも対をなす横部材１４ｂを備えている必要はなく、この場合には、縦部材１４ａの両端部を、第１のトラス筋４及び第２のトラス筋９各々に対して、第１の上端筋５及び第１の下端筋６、第２の上端筋１０及び第２の下端筋１１各々の端部どうしを連結するように接合手段を介して接合すればよい。
また、連結筋１４は、必ずしも用いる必要はなく、前記第１のトラス筋４に、第１の上端筋５及び第１の下端筋６が連続したコの字状部材、及び第２のトラス筋９各々に、第２の上端筋１０及び第２の下端筋１１が連続したコの字状部材を用いて、該コの字状部材の鉛直部を備える側を、第１の床スラブ２、第２の床スラブ７よりなる段差部１５に備えればよい。
【００２７】
このような構成は、図７（ａ）（ｃ）に示すように、連結筋１４が第１のトラス筋４及び第２のトラス筋９と同一平面上に配されることにより、段差部１５の幅方向から見ると、第１の実施の形態から第３の実施の形態と比較して平行に設けられる配筋の数量を減らすことができるため、配筋をより簡略化することができ、作業性を向上することが可能であるとともに、段差部１５の幅が小さく、コンクリートのかぶりを十分に確保できない場合に有効である。
【００２８】
上述する第１のから第４の実施の形態に示した構成によれば、第１のトラス筋４を備える第１の床パネル３と、第２のトラス筋９を備える第２の床パネル８を用いてトラス筋付デッキ床１を構成するに際し、上方に位置する第２の床パネル８について、第２のトラス筋９を第２の床パネル８より突出させておく。これにより、両者に高低差を設けて水平に隣り合わせて配置すると、段差部１５には、第１のトラス筋４及び第２のトラス筋９各々の端部により、平面視であき重ね継ぎ手が形成されることから、段差部１５においても配筋の乱れが生ることがないとともに、コンクリートのかぶりが的確で、トラス筋を備えた床スラブの利点を生かすことが可能となる。
【００２９】
さらに、第１のトラス筋４及び第２のトラス筋９各々の端部に、前記連結筋１４を設けるとともに、あき重ね継ぎ手の間で、第１のトラス筋４及び第２のトラス筋９の面と平行に補強筋１６を配することにより、段差部１５に十分な強度が確保されるとともに、その構成が簡略で配筋が容易であり、施工性がよく作業効率を大幅に改善できるとともに、コスト削減にも寄与することが可能となる。
【００３０】
また、段差部１５の下端部には、第１の床パネル３が配される構成となるため、コンクリート１８を打設する際にも型枠を設ける必要がなく、さらに作業効率を向上することが可能となる。
【００３１】
【発明の効果】
請求項１に記載のトラス筋付デッキ床の段差構造によれば、水平に延在する上端筋及び下端筋と、両者を連結するラチス筋とにより構成される第１のトラス筋が、主筋として上面に一体的に設置された第１の床パネルと、水平に延在する上端筋及び下端筋と、両者を連結するラチス筋とにより構成される第２のトラス筋が、少なくとも一方の端部を突出させた状態で、主筋として上面に一体的に設置された第２の床パネルとを備えるトラス筋付デッキ床の段差構造であって、該第２の床パネルが第１の床パネルより上方となるように、高低差を設けて両者を水平に隣り合わせるとともに、前記第２の床パネルより突出する第２のトラス筋の端部と、第１のトラス筋の端部とで継ぎ手を形成させ、該継ぎ手をコンクリートで埋設することにより構成されており、前記継ぎ手には、前記第２のトラス筋と第１のトラス筋の端部どうしが、平面視で差し違え配列となるように配されたあき重ね継ぎ手が形成されるとともに、前記継ぎ手の間には、あき重ね継ぎ手の重ね長さと同様の長さ、及び前記第２のトラス筋の上端筋と第１のトラス筋の下端筋との間の高低差と同様の高さを有するロの字形の鉄筋が、第１のトラス筋及び第２のトラス筋の両者に面を平行にして配され、また、前記継ぎ手を形成する第１のトラス筋及び第２のトラス筋各々の端部には、各々の上端筋と下端筋を連結するように位置する縦部材を備える連結筋が配される。
【００３２】
また、請求項２記載のトラス筋付デッキ床の段差構造によれば、前記連結筋が、前記縦部材の両端部各々に、少なくとも平面視で差し違え配列を形成する第１のトラス筋及び第２のトラス筋の重なり長さより長い部材長よりなる対をなす横部材を、一体的に設けられたコの字形に成形され、対をなす該横部材が、前記第１のトラス筋及び第２のトラス筋各々の上端筋及び下端筋に沿うように配置される。
【００３３】
さらに、請求項３記載のトラス筋付デッキ床の段差構造によれば、前記連結筋が、前記縦部材と、少なくとも平面視で差し違え配列を形成する第１のトラス筋及び第２のトラス筋の重なり長さより長い部材長よりなる対をなす横部材を、螺旋状に連結することにより成形され、対をなす横部材が、第１のトラス筋の上端筋と第２のトラス筋の上端筋、もしくは第１のトラス筋の下端筋と第２のトラス筋の下端筋に沿わせて配置できる形状に成形される。
【００３４】
これにより、トラス筋を主筋とする床パネルを用いてトラス筋付デッキ床を構築する場合に、段差部にトラス筋による平面視のあき重ね継ぎ手が形成されることから、配筋の乱れが生ることがないとともに、コンクリートのかぶりが的確で、段差部にもトラス筋を備えた床スラブの利点を生かすことが可能となる。
また、トラス筋の端部に、前記連結筋を設けるとともに、あき重ね継ぎ手の間で、トラス筋の面と平行に補強筋を配することから、段差部に十分な強度が確保されるとともに、その構成が簡略で配筋が容易であり、施工性がよく作業効率を大幅に改善できるとともに、コスト削減にも寄与することが可能となる。
【００３５】
また、段差部の下端部には、下方に位置する床パネルが配される構成となるため、コンクリートを打設する際にも型枠を設ける必要がなく、さらに作業効率を向上することが可能となる。
【００３６】
請求項４、５に記載のトラス筋付デッキ床の段差構造によれば、前記第１のトラス筋及び第２のトラス筋各々に、上端筋と下端筋が連続したコの字型鉄筋が用いられており、第１のトラス筋及び第２のトラス筋各々の端部には、前記連結筋に代わり、該コの字型鉄筋の鉛直部が位置する。または、前記連結筋が、第１のトラス筋及び第２のトラス筋各々の端部で同一平面上に配され、各々の上端筋と下端筋が連結筋を介して連続するように接合手段を介して接合されることから、段差部の幅方向から見ると、平行に設けられる配筋の数量を減らすことができるため、配筋をより簡略化することができ、作業性を向上することが可能であるとともに、段差部の幅が小さく、コンクリートのかぶりを十分に確保できない場合に有効である。
【図面の簡単な説明】
【図１】本発明に係る第１の実施の形態のトラス筋付デッキ床の概略を示す図である。
【図２】本発明に係る第１の実施の形態のトラス筋付デッキ床の段差部の詳細を示す図である。
【図３】本発明に係る第２の実施の形態のトラス筋付デッキ床の概略を示す図である。
【図４】本発明に係る第２の実施の形態のトラス筋付デッキ床の段差部の詳細を示す図である。
【図５】本発明に係る第３の実施の形態のトラス筋付デッキ床の概略を示す図である。
【図６】本発明に係る第３の実施の形態のトラス筋付デッキ床の段差部の詳細を示す図である。
【図７】本発明に係る第４の実施の形態のトラス筋付デッキ床の概略を示す図である。
【図８】本発明に係る第４の実施の形態のトラス筋付デッキ床の段差部の詳細を示す図である。
【図９】従来のトラス筋付デッキ床の概略を示す図である。
【符号の説明】
１  トラス筋付デッキ床
２  第１の床スラブ
３  第１の床パネル
４  第１のトラス筋
５  第１の上端筋
６  第１の下端筋
７  第２の床スラブ
８  第２の床パネル
９  第２のトラス筋
１０  第２の上端筋
１１  第２の下端筋
１２  ラチス筋
１３  支持鉄筋
１４  連結部
１５  段差部
１６  補強筋
１７  副鉄筋
１８  コンクリート
１９  段差付き床スラブ
２０  トラス筋
２１  トラス筋付き床パネル
２２  コンクリート
２３  型枠
【図１】
2004169468.tif 000003
【図２】
2004169468.tif 000004
【図３】
2004169468.tif 000005
【図４】
2004169468.tif 000006
【図５】
2004169468.tif 000007
【図６】
2004169468.tif 000008
【図７】
2004169468.tif 000009
【図８】
2004169468.tif 000010
【図９】
2004169468.tif 000011